(57)【特許請求の範囲】
【請求項１】
複数のテレビカメラと、該テレビカメラの制御を行うカメラコントロールユニットと、複数の映像信号を１チャンネルの放送信号に変換する送信変換部と、放送信号を放送するための空中線（アンテナ）とを有し、複数のテレビカメラまたは複数のカメラコントロールユニットから出力される映像信号を１チャンネルの放送信号に変換しエリア放送する放送システムにおいて、（ＰＥＳパケット等の）放送ＴＳのデータ多重領域に現在選択しているカメラ番号および次に選択されるカメラ番号の情報を多重し多重したＴＳを放送信号に変換することと、256QAM以上の多値変調と0.3秒以下の伝送符号化のインターリーブ間隔と8フィールド以下のＧＯＰの動画像圧縮符号化とを行うこと、との少なくとも一方を行うことを特徴とするエリア放送システム。
【請求項２】
請求項１の放送システムにおいて、地上デジタルエリア放送の各セグメントの受信機能と映像表示画面との付いた携帯装置を有し、該携帯装置は前記エリア放送を受信し、前記携帯装置の映像表示画面の周囲に、現在選択している（Ｏｎ−Ａｉｒ）カメラのレッドタリー表示、および、次に選択される（Ｎｅｘｔ）カメラのグリーンタリーを表示することを特徴とするエリア放送システム。
【発明の詳細な説明】
【技術分野】
【０００１】
本発明は、エリア放送システムに関するものである。
【背景技術】
【０００２】
地上デジタル放送（ＩＳＤＢ−Ｔ）の放送信号規格ＡＲＩＢ  ＳＴＤ−Ｂ３１の１チャンネル６ＭＨｚの周波数は、図１０（ａ）の地上デジタル広域放送のセグメント配置を示す模式図のように、１４分割した４２８．６ｋＨｚの１３セグメントと両端２１４．３ｋＨｚのガードバンドからなる。現在の地上デジタル放送は、周囲の１２セグメントで伝送情報量の多い６４値直交振幅変調（６４ＱＡＭ）方式で高精細度テレビジョン放送（ＨＤＴＶ）1番組か標準テレビジョン放送（ＳＤＴＶ）３番組を伝送し、地上デジタル放送の1セグメント放送（以下1セグと省略）として、中央の０番目のセグメントで伝送誤りに強い４相位相偏移変調（ＱＰＳＫ）のＯＦＤＭ（Orthogonal  Frequency  Division  Multiplexing）方式で、映像、音声、データを伝送している。
【０００３】
ところで、図１０（ｂ）の地上デジタルエリア放送のセグメント配置を示す模式図のように、市町村等の所定地域に共通に中央のセグメント＃０の地上デジタル放送のＱＰＳＫ方式電波を小電力で送信し、団地や集落等の所定地域の各部分に周辺のセグメント＃１からセグメント＃１２の各セグメント（１セグ）の地上デジタル放送または３セグメント単位の地上デジタルラジオ放送のＱＰＳＫ方式電波を小電力で送信するシステム（エリア放送）も提案されている。
また、中央のセグメント＃０の送信電界は周辺セグメントの送信電界より強く送信する方法が提案されている（特許文献１参照）。
さらに、１ｃｈの各セグメントに異なる映像を送信し、地上デジタルエリア放送の各セグメントの受信機能付き携帯電話端末で、多数の異なる映像を受信することも試みられている。
【０００４】
映像信号のＧＯＰ（Group  Of  Picture）ごとに動画像圧縮符号化した信号を伝送する放送ＴＳ（Transport  Stream）にはデータ放送用信号を多重する領域が幾つか存在し、多重するデータの用途により適した多重領域を選択する必要がある。前述の多重領域のうち、ＰＥＳ（Packetized  Elementary  Stream）パケットは映像に字幕等を重ね表示するためのデータを伝送する用途に適している（非特許文献１参照）。
【０００５】
有限な資源である周波数領域の有効利用から、その地域毎に空いている周波数領域をホワイトスペースと呼ぶ。
今後ワンセグは電波のホワイトスペース有効利用を目的に、市町村、展示場、大規模娯楽施設、商店街等で防災目的や商業目的に利用される見通しである。（このようにある特定のエリアに対しのみ放送サービスを行う事を以降エリア放送と呼ぶ。）。
エリア放送では、電波発射する地域において既存の放送局と混信が無いように、エリア放送で使用する周波数や送信電力を選定し電波発射を行う。
【０００６】
中継現場で番組を放送または収録する際、テレビカメラ本体と、テレビカメラの制御、カメラオペレーターとの連絡通信、信号フォーマットの変換等を行うカメラコントロールユニットを備え、数台のテレビカメラを切替て行われる。このシステムの一般的な例を、図４を用い説明する。
中継現場２１内で収録した映像、音声等（以降、単に映像と代表して記す）はコントロールユニット３１で映像、音声信号のフォーマット変換等がなされ、素材伝送用送信機２２で放送事業者の送信所５１に一旦送られる。
【０００７】
送信所５１に送られた映像は中継機５４で本社４１に送られ、本社４１では素材伝送用受信機２３で受信された映像をマスタ装置４２で送出向けに編成し、放送信号送信機４３で送信所５１に送られる。
送信所５１では放送信号受信機５３で受信した放送信号を放送機５２に入力し、放送事業者の放送エリアに向けて送出する。
【０００８】
図４に示すコントロールユニット３１の詳細について図３を用い説明する。
図３において、テレビカメラ１で取り込まれた映像は中継ケーブル２を通じコントロールユニット３１に入力される。入力された映像は変換器３−１で信号形式（フォーマット）変換され、分配器３−５で分配され、本線出力１３−１〜４を得る。
【０００９】
なお、ＲＥＴ入力１４−１〜４に入力される他のテレビカメラの映像はＲＥＴ系切替器３−４で選択され、変換器３−１で信号形式（フォーマット）変換される。
更に汎用入力１５、リモコン制御器リモコンデータと多重器３−３で多重されテレビカメラ１に出力される。テレビカメラ１では他のテレビカメラの映像確認、連絡等が可能であり、カメラコントロールユニット３１がカメラ１に図３に図示しないスイッチャからのタリー情報を出力する。
【００１０】
図３において、カメラコントロールユニット３１からのタリー情報に従い、カメラ１では赤のフロントタリー６１とレッドタリー６２にカメラ１の撮像映像が使用されていることを示すＯｎ−Ａｉｒタリーの表示をし、グリーンタリー６３にカメラ１の撮像映像が次に使用されることを示すＮｅｘｔタリーの表示をする。
【００１１】
番組を中継現場近隣に放送する場合、従来の技術に示す設備では放送事業者の通常の放送エリアをカバーしてしまい、目的の複数カメラの撮像映像を中継現場近隣に放送することに適さない。そのため、中継現場スタッフが複数カメラの撮像映像を確認できない。
【先行技術文献】
【特許文献】
【００１２】
【特許文献１】特開２００９−２１２５７７号公報
【非特許文献】
【００１３】
【非特許文献１】ＡＲＩＢ発行の標準規格ＳＴＤ−Ｂ２４「デジタル放送におけるデータ放送符号化方式と伝送方式標準規格」
【発明の概要】
【発明が解決しようとする課題】
【００１４】
本発明は、中継現場の複数のテレビカメラまたは複数のカメラコントロールユニットから出力される映像信号を、中継現場スタッフが確認することを目的とする。
【課題を解決するための手段】
【００１５】
本発明は、上記の目的を達成するために、複数のテレビカメラと、該テレビカメラの制御を行うカメラコントロールユニットと、複数の映像信号を１チャンネルの放送信号に変換する送信変換部と、放送信号を放送するための空中線（アンテナ）とを有し、複数のテレビカメラまたは複数のカメラコントロールユニットから出力される映像信号を１チャンネルの放送信号に変換しエリア放送することを特徴とするエリア放送システムである。
【００１６】
また、上記において、（ＰＥＳパケット等の）放送ＴＳのデータ多重領域に現在選択しているカメラ番号および次に選択されるカメラ番号の情報を多重し多重したＴＳを放送信号に変換することと、256QAM以上の多値変調と0.3秒以下の伝送符号化のインターリーブ間隔と8フィールド以下のＧＯＰの動画像圧縮符号化とを行うこと、との少なくとも一方を行うことを特徴とするエリア放送システムである。
【００１７】
また、上記において、地上デジタルエリア放送の各セグメントの受信機能と映像表示画面との付いた携帯装置を有し、該携帯装置は前記エリア放送を受信し、前記携帯装置の映像表示画面周囲に、現在選択している（Ｏｎ−Ａｉｒ）カメラのレッドタリー表示、および、次に選択される（Ｎｅｘｔ）カメラのグリーンタリーを表示することを特徴とする放送システムである。
【発明の効果】
【００１８】
以上説明したように本発明によれば、中継現場の複数のテレビカメラまたは複数のカメラコントロールユニットから出力される映像信号を、中継スタッフは各自の各セグメントの受信機能付き携帯電話端末で確認することができる。
【図面の簡単な説明】
【００１９】
【図１】本発明の一実施例の上デジタルエリア放送システムの構成を示すブロック図
【図２】本発明の一実施例の地上デジタルエリア放送システムの構成を示すブロック図
【図３】従来のテレビカメラシステムの構成を示すブロック図
【図４】従来の地上デジタル広域放送の構成を示すブロック図
【図５】従来の地上デジタルエリア放送の構成を示すブロック図
【図６】地上デジタル放送のセグメントを示す模式図（（ａ）地上デジタル広域放送のセグメント配置、（ｂ）地上デジタルエリア放送のセグメント配置）
【発明を実施するための形態】
【実施例１】
【００２０】
本発明の実施例を本発明の一実施例のテレビカメラシステムの構成を示すブロック図の図１を用い説明する。
本発明の一実施例のテレビカメラシステムの構成を示すブロック図の図１と、従来のテレビカメラシステムの構成を示すブロック図の図３との相違は、送信部４を付加し、カメラの撮像映像またはリターン入力映像を地上デジタルエリア放送可能としたことである。
また、図３同様に、カメラコントロールユニット３１，がカメラ１に図１に図示しないスイッチャからのタリー情報を出力する。図３において、カメラコントロールユニット３１からのタリー情報に従い、カメラ１では赤のフロントタリー６１とレッドタリー６２にカメラ１の撮像映像が使用されていることを示すＯｎ−Ａｉｒタリーの表示をし、グリーンタリー６３にカメラ１の撮像映像が次に使用されることを示すＮｅｘｔタリーの表示をする。
【００２１】
図１において、送信部４は、送出信号を選択、編成する送出系切替器４−１、放送用ＴＳ信号を生成するＣＯＤＥＣ・ＴＳ生成器４−２、ＴＳ信号を放送信号に変換（ＯＦＤＭ変調）する放送信号変調器４−３、放送信号変調器４−３で得られた放送信号を所定の放送チャンネルに変換するアップコンバータ４−４、必要に応じ送信電力を上げるＰＡ（パワーアンプ）４−５から構成される。
【００２２】
図１のテレビカメラシステムを用いた本発明の一実施例の地上デジタルエリア放送の構成を示すブロック図を図２に示す。図２は、スタジオやホールやスタジアムや公営競技場やサーキットやマラソンコースや駅伝コースなどの中継現場２１において３台のテレビカメラで収録、放送する例である。カメラ１−Ｂ用のコントロールユニット３２−Ｂに内臓の送信部４−Ｂで放送信号に変換、送信アンテナ７で中継現場２１周辺の地域に番組内容を放送する。また、中継スタッフへの連絡事項を地上デジタルエリア放送の副音声または、データ放送として付加する。
具体的には、ＰＥＳパケットに現在選択している（Ｏｎ−Ａｉｒ）カメラ番号、および、次に選択される（Ｎｅｘｔ）カメラ番号の情報を多重し、多重したＴＳを放送信号に変換、送信アンテナ７で中継現場２１周辺の地域に番組内容を放送する。また、暗号化しＩＤ（Identification）情報付加した携帯装置１１のみ表示可能とする。
【００２３】
中継スタッフは各自の地上デジタルエリア放送の各セグメントの受信機能付きの携帯電話端末等の地上デジタルエリア放送の各セグメントの受信機能と映像表示画面との付いたＩＤ情報付加した携帯装置１１で３台のテレビカメラの撮像映像を確認し、Ｏｎ−Ａｉｒカメ名、およびＮｅｘｔカメラの情報を確認する。
地上デジタルエリア放送の各セグメントの受信機能付きの携帯電話端末１１は、縦画面時は画面上下に、図1や図２のように現在選択している（Ｏｎ−Ａｉｒ）カメラのレッドタリーを表示し、および、次に選択される（Ｎｅｘｔ）カメラのグリーンタリーを表示すると、Ｏｎ−ＡｉｒとＮｅｘｔとが、瞬時に目視確認できる。携帯電話端末１１は、横画面時は、レッドタリーとグリーンタリーの表示は、画面上下でも画面左右でも画面周囲ならかまわない。
【００２４】
地上デジタルテレビジョン放送の伝送方式の６ＭＨｚの１チャンネル内の１３セグメントの使用例を説明する。
中央の０セグメントは、On-Airタリーがスイッチャから入力されているカメラコントロールユニットのテレビカメラ撮像映像を送信する。中央の０セグメント以外の周辺のセグメントの１から１２には、カメラ番号どおりのセグメント番号に各テレビカメラ撮像映像を送信する。
【００２５】
図３と図１と同様に、カメラコントロールユニット３１―Ａ，３１―Ｂ，３１―Ｃがカメラ１−Ａ，１−Ｂ，１−Ｃに図１に図示しないスイッチャからのタリー情報を出力する。図３において、カメラコントロールユニット３１―Ａ，３１―Ｂ，３１―Ｃからのタリー情報に従い、カメラ１−Ａ，１−Ｂ，１−Ｃでは赤のフロントタリー６１―Ａ，６１―Ｂ，６１―Ｃとレッドタリー６２―Ａ，６２―Ｂ，６２―Ｃにカメラ１の撮像映像が使用されていることを示すＯｎ−Ａｉｒタリーの表示をし、グリーンタリー６３―Ａ，６３―Ｂ，６３―Ｃにカメラ１−Ａ，１−Ｂ，１−Ｃの撮像映像が次に使用されることを示すＮｅｘｔタリーの表示をする。
【００２６】
テレビカメラが１２台以上の場合には、図1の送信部４をカメラコントロールユニットの映像を切り替えるスイッチャとし、１から１２の各セグメントを２つに分割し、２４台の各テレビカメラ撮像映像を１から１２の各セグメントに割り当て、中央の０セグメントは、On-Airタリーがスイッチャから入力されているカメラコントロールユニットのテレビカメラ撮像映像を割り当て、スイッチャからまとめて地上デジタルエリア放送する。
【００２７】
本発明は、地上デジタルエリア放送（ＩＳＤＢ−Ｔ）の１３セグメントで詳細を説明したが、データ放送用信号を多重する領域が存在する放送ＴＳをエリアに放送する方式ならば全ての方式で適用できる。具体的には、MediaFLO（Forward  Link  Only）やDMB-T（Digital  Multimedia  Broadcasting  for  Terrestrial）やT-DMB（Terrestrial-Digital  Multimedia  Broadcasting）やDVB-T（Digital  Video  Broadcasting-Terrestrial）やDVB-H（Digital  Video  Broadcasting-Handheld）やＴＤＭＡ（Time  Domain  Multiple  Access）やＴＤＳ（Time  Domain  Synchronous）やＣＤＭＡ（Code  Division  Multiple  Access）やＯＦＤＭの各種の組み合わせやデジタルラジオやマルチメディア放送（ＩＳＤＢ−ＴＳＢ）にも適用できる。
現行ＩＳＤＢ−Ｔでは変調方法は、最大で16QAM符号率1/2で624kbpsだが、DVB-TのDTG109なら256QAM符号率2/3である。試験中の1024QAM符号率2/3なら伝送エリアは狭くなるが、624kbps×4×1.5＝3.6Mbpsとなり、SDTV相当の情報量が伝送でき、伝送符号化のインターリーブ間隔を短くして現行ＩＳＤＢ−Ｔの遅延約3秒から遅延約1秒に短縮することも可能となる。ＭＩＳＯ（Multi  In  Single  Out）にすれば、移動や干渉に対し強くなる。ＭＩＭＯ（Multi  In  Multi  Out）にし、ＬＤＰＣ（Low  Density  Parity  Check）符号化とＭＭＳＦ（Minimum  Mean  Square  Error  Soft  Interference  Simulator）とＭＩＭＯ反復復号化でさらに帯域2倍となる。水平偏波と垂直偏波と上記ＭＩＭＯ反復復号化でさらに帯域2倍となる。合計で3.6Mbps×2×2＝14.4Mbpsとなり、HDTV相当の情報量が伝送でき、伝送符号化のインターリーブ間隔を短くして遅延約0.3秒に短縮することも可能となる。さらに動画像圧縮符号化方法を現行ＩＳＤＢ−ＴのH.264/AVCからMotion-JPEG-XRやいわゆるH.265として検討中の低遅延の動画像圧縮符号化方法にしてさらに伝送符号化のインターリーブ間隔を短くすれば、遅延約0.1秒に短縮することも可能となる。つまり、On-Air Return として使いやすいように低遅延にすることも可能となる。
【００２８】
また本発明は、地上デジタルエリア放送の各セグメントの受信機能付きの携帯電話端末で詳細を説明したが、データ放送用信号を多重する領域が存在する放送ＴＳをエリアに放送する方式の受信機能と映像表示画面との付いた携帯装置なら、携帯電話端末にこだわらず、小型のパーソナルコンピュータにも、携帯電話端末とパーソナルコンピュータの中間の高機能携帯電話端末(smart  phone)やＰＮＤ（Personal  Navigation  Devise）にも適用できる。
【符号の説明】
【００２９】
１，１−Ａ，１−Ｂ，１−Ｃ：テレビカメラ、２：中継ケーブル、
３−１：変換器、３−３：多重器、３−４：ＲＥＴ系切替器、３−５：分配器、
４，４−Ｂ：送信部、４−１：送出系切替器、４−２：ＣＯＤＥＣ・ＴＳ生成器、４−３：放送信号変調器、４−４：アップコンバータ、４−５：ＰＡ（高周波数増幅器）、
７：放送アンテナ、１１：地上デジタルエリア放送の各セグメントの受信機能と映像表示画面との付いた携帯装置、
１３−１，１３−２、１３−３、１３−４：本線出力
１４−１，１４−２、１４−３、１４−４：ＲＥＴ入力、１５：汎用入力、
２１：中継現場、２２：素材伝送用送信機、２３：素材伝送用受信機、
２４：中継車、
３１，３１−Ａ，３１−Ｂ，３１−Ｃ，３２，３２−Ａ，３２−Ｂ，３２−Ｃ，：カメラコントロールユニット
３２：簡易放送装置、３３：送出系モニタ／リモコン
４１：本社、４２：マスタ装置、４３：放送信号送信機、
５１：送信所、５２：放送機、５３：放送信号受信機、５４：中継機、
６１，６１−Ａ，６１−Ｂ，６１−Ｃ：（Ｏｎ−Ａｉｒ）フロントタリー，
６２，６２−Ａ，６２−Ｂ，６２−Ｃ：（Ｏｎ−Ａｉｒ）レッドタリー，
６３，６３−Ａ，６３−Ｂ，６３−Ｃ：（Ｎｅｘｔ）グリーンタリー，
【図１】
0005467644.tif 000002
【図２】
0005467644.tif 000003
【図３】
0005467644.tif 000004
【図４】
0005467644.tif 000005
【図５】
0005467644.tif 000006
【図６】
0005467644.tif 000007